(57)【要約】【課題】支持枠を傾斜させて島枠に固定する際にパチンコ機を安定させて固定作業をし易くし、支持枠の固定後も振動衝撃などによって設定した角度がずれないようにする。【解決手段】遊技盤を有する遊技機本体と、前記遊技機本体を一辺側で回動自在に支持する支持枠１２と、前記遊技機本体と前記支持枠１２の下板４８との間を塞ぐように前記支持枠１２の下部に設けられた幕板取付板２２と、前記幕板取付板２２を前面から覆い隠すように前記幕板取付板２２に固定される幕板２３とを備える。前記幕板取付板２２は前記幕板２３を固定する位置を示す目盛を有し、前記幕板２３は前記幕板取付板２２に位置調節可能に取付けられる。また、前記幕板取付板２２は前記幕板２３を固定する縦に長い複数の長穴を有し、前記幕板２３は裏面に前記長穴と嵌合する凸部４３を有する。【選択図】図６
2008178607.tif 000002
【特許請求の範囲】
【請求項１】
遊技盤を有する遊技機本体と、前記遊技機本体を回動自在に一辺側で支持する支持枠と、前記支持枠の下部に設けられた幕板取付板と、前記幕板取付板を前面から覆い隠すように前記幕板取付板に固定される幕板と、を備え、遊技場に設置した島設備の島枠内部に前記支持枠が固定されて取付けられる遊技機において、
前記幕板取付板は、前記幕板を取付ける固定ネジが挿通するネジ挿通穴と、前記幕板を取付ける時に前記固定ネジを締め付ける位置の目安となる目盛とを備え、
前記幕板取付板の裏側から前記固定ネジを締め付けて、前記幕板の底面が前記支持枠の底面より下方に位置するように、前記幕板を位置調節可能に固定することを特徴とする遊技機。
【請求項２】
前記ネジ挿通穴は、縦に長い長穴であって、
前記幕板は、裏面に前記ネジ挿通穴と嵌合する凸部を有することを特徴とする請求項１記載の遊技機。
【発明の詳細な説明】
【技術分野】
【０００１】
遊技盤を備えた遊技機に関し、さらに詳しくは、遊技盤の面（遊技面）が所定角度に傾斜した姿勢で島設備に取付けられる遊技機に関するものである。
【背景技術】
【０００２】
パチンコ機が設置される遊技場には、島設備が設けられている。島設備には、複数のパチンコ機を横並びに設置するための縦長矩形の島枠が複数設けられている。パチンコ機は、遊技盤や制御基板を備えたパチンコ機本体が、縦長矩形の支持枠の内側に開閉自在に取付けられている。一般的に、支持枠は４辺を構成する木材の板で形成されている。そして、支持枠の上・下部を内側から島設備に設けた島枠に釘で固定することによってパチンコ機が島設備に取付けられていく。支持枠は島枠に嵌め込まれるためその寸法は島枠によって決まってくる。それに対し遊技機本体は機種によって縦寸法が異なるため、遊技機本体の下部と支持枠下辺との間に隙間があり、この隙間を幕板取付板で覆っている。幕板取付板は支持枠と同様に木材の板で形成されているので、化粧板である幕板を幕板取付板に取付け覆っている。
【０００３】
パチンコ機は、遊技球の落下の方向に変化を与えるための遊技釘が遊技面に固定されており、前記遊技面の傾斜を垂直に近づけるほどパチンコ球の流れが早くなり、パチンコ機本体の前面に設けたガラスに玉が当たって発生するガチャガチャとした音がより大きくなるため、遊技面が垂直面に対して僅かに上を向くように傾斜して取付けられる。この傾斜角度は、球の入賞状況等に大きな影響を及ぼすため、パチンコ機の取付けは遊技面の傾斜を測定しながら行われる。
【０００４】
遊技面の角度測定は、支持枠に対してパチンコ機本体を閉じた状態で前面のガラスに水準器やゲージを当てて行うが、パチンコ機本体を開いて支持枠の内部を前面に露呈させないと角度調節及び固定が行えない。このため、パチンコ機の取付け及び角度調整は一々パチンコ機本体を支持枠に対して開閉する作業が伴い、手間のかかる作業になっている。
【０００５】
パチンコ機を島枠に簡単に取付けるための治具が下記特許文献１により知られている。この治具は上部用治具と下部用治具とから構成され、まず上部用治具を用いて支持枠の上部を島枠の前端から一定距離押し込んだ位置に取付けた後、島枠の下部前方に張り出したテーブルに下部用治具を載せ、一端をテーブルの端に基準として押し当て他端を支持枠の下部前面に押し当てて、支持枠の傾斜角が所定の角度になるように設定する。そしてこの状態を保ったまま支持枠の下部を島枠の下部に固定する。
【０００６】
また下記特許文献２には、点検整備において球皿に排出された遊技球を簡単にかつ手間なく回収するために、遊技機の支持枠下部の幕板部分に、排出された球を収納する引出しをスライド可能に設けたパチンコ機について提案している。この幕板部分も他のパチンコ機同様に支持枠に固定されている。
【特許文献１】特開２００５−３２９２２５号公報
【特許文献２】特開２００５−２８７８５６号公報
【発明の開示】
【発明が解決しようとする課題】
【０００７】
前述の特許文献に記載されたパチンコ機もそうであるが、一般にパチンコ機は遊技面の角度調節を行いながら支持枠を島枠に固定する。このとき支持枠は島枠に対して斜めに取付けられるので、支持枠下部の手前の稜線は島枠から浮き、支持枠下部の奥側の稜線のみで支持枠を支えることになり、不安定な状態で作業しなければならない。支持枠を島枠に固定した後も振動衝撃などにより、設定した角度がずれてしまうことがある。また、幕板は支持枠に固定されているので、傾いた分だけ幕板の下部が島枠から浮いた状態となり隙間が生じてしまう。
【０００８】
本発明は、支持枠を島枠に固定する際にパチンコ機を安定させて固定作業をし易くし、支持枠の固定後も振動衝撃などによって設定した角度がずれないようにすると伴に、支持枠を傾けることによって生じる支持枠と島枠の間の隙間が生じない遊技機を提供することを目的とする。
【課題を解決するための手段】
【０００９】
本発明の遊技機は、遊技盤を有する遊技機本体と、前記遊技機本体を一辺側で回動自在に支持する支持枠と、前記遊技機本体と前記支持枠の下板との間を塞ぐように前記支持枠の下部に設けられた幕板取付板と、前記幕板取付板を前面から覆い隠すように前記幕板取付板に固定される幕板とを備える。前記幕板取付板は、前記幕板を取付ける固定ネジが挿通するネジ挿通穴と、前記幕板を取付ける時に前記固定ネジを締め付ける位置の目安となる目盛とを備える。前記幕板取付板の裏側から前記固定ネジを締め付けて前記幕板を位置調節可能に固定する。前記ネジ挿通穴は前記幕板を固定する縦に長い複数の長穴であり、前記幕板は裏面に前記ネジ挿通穴と嵌合する凸部を有する。
【発明の効果】
【００１０】
このように本発明は、幕板の位置を調節可能にすることで、支持枠を島枠に固定する際に幕板の位置を傾きの分だけ予め下げて支持枠に固定することによって、支持枠下部の奥側稜線だけでなく手前側に固定された幕板でも荷重を支えることでパチンコ機を安定させて固定作業をし易くすると伴に、支持枠の固定後も振動衝撃などによって設定した角度がずれないようにすることができる。また、支持枠を傾けることによって生じる支持枠と島枠の間の隙間の発生もなく、例え何らかの理由で隙間が発生したとしても幕板の位置を再度調節し直すことによって隙間をなくすことができる。
【発明を実施するための最良の形態】
【００１１】
図１及び図２に示すように、パチンコ機（遊技機）１０は、遊技機本体１１と支持枠１２とで構成されている。遊技機本体１１には、前面にガラス板１３が略垂直方向に沿って取付けられ、ガラス板１３の奥にガラス板１３と略平行に遊技盤１４が支持されている。なお、このガラス板１３は、遊技機本体１１に対して開閉自在になっている。遊技盤１４の前面には、遊技領域が設けられており、遊技領域には液晶パネル、入賞口、アウト口などが設けられている。遊技機本体の前面下部には、ハンドル１５が設けられており、ハンドル１５を操作することで、発射装置が作動してパチンコ球が遊技領域に発射され、パチンコ球が入賞口又はアウト口の何れかに入る。アウト球とセーフ球はそれぞれ区分される。アウト球は遊技機本体１１の内部に回収され、また、セーフ球はカウントされて、カウントに応じて賞球を遊技機本体１１の前面に設けた受け皿１６に払い出す。なお、遊技機本体１１の背面には、制御基板を収納した基板ケース等が取付けられている。この制御基板には、前述した機構や遊技に係る処理を実行する回路が実装されている。
【００１２】
支持枠１２は、縦長矩形となっており、上下左右に４つの木の板を組み合わせて作られている。また、支持枠１２の前面下方には、左板（図示なし）と右板２１との間に幕板取付板２２が設けられており、この幕板取付板２２の前面に幕板２３が取付けられている。この幕板２３は、遊技機本体１１と支持枠１２との前面下部の隙間を塞ぐとともに化粧板の役目をしている。
【００１３】
支持枠１２を構成する上板２４および幕板取付板２２のそれぞれの左端には、一対のヒンジ２５が取付けられている。ヒンジ２５には遊技機本体１１の左端の上下に設けられた軸穴が嵌合し、支持枠１２に対して遊技機本体１１を横開きに回転自在に支持している。これにより、遊技機本体１１は、閉じ位置のときに、遊技機本体１１の右端背面が支持枠１２の右板２１に接し、遊技機本体１１の背面の造物が支持枠１２の内部に入り込む。開き位置のときには、遊技機本体１１の右端背面が支持枠１２の右板２１から離れて支持枠１２の内部が露呈される。そして、通常は、図示していない錠式のロック機構により閉じ位置にロックされている。このロック機構は、遊技機本体１１の前面に設けた鍵穴２６に鍵２７を挿入して回転操作することでロック又はロック解除がなされる。
【００１４】
図３に示すように、支持枠１２は遊技場の島設備に設けた島枠３０に固定される。島枠３０も縦長矩形枠になっており、支持枠１２は島枠３０の内側に嵌め込まれて固定される。この固定は、支持枠１２の上板２４が島枠３０の上板３１に釘やボルト等によって固定される。この固定箇所は予め左右二カ所の所定位置に決められているが、左右二カ所に限らず、三カ所以上の位置を固定してもよい。また、島枠３０の上板３１あるいは下板３２に限らず、島枠３０の左板３３あるいは右板３４に固定してもよい。
【００１５】
図４に示すように、幕板２３は幕板取付板２２に設けられたネジ挿通穴４１に座付きの固定ネジ４２によって仮止めされている。幕板２３には凸部４３が一体に形成され、凸部４３の中央に円筒形の穴であるネジ穴４４が設けられている。固定ネジ４２はタッピングネジでありネジ穴４４を螺旋状に加工しながらネジ穴４４と螺合していく。ネジ挿通穴４１は上下に長い長穴となっており幕板取付板２２に対する幕板２３の位置を調節可能にしている。また、幕板２３の底面２３ａにはレール状凸部５０が設けられている。
【００１６】
図５に示すように、幕板２３に一体に形成された凸部４３はネジ挿通穴４１に左右をガイドされて上下に移動可能となっている。ネジ挿通穴４１の横には目盛４５が形成されている。ネジ挿通穴４１は図３に示すように４ヶ所に設けられており、中央の２ヶ所のネジ挿通穴は幕板取付板２２の上寄りに配置され両側のものは下寄りに配置されている。
【００１７】
次に本発明のパチンコ機（遊技機）１０の島設備への取付け作業について説明する。図６に示すように、パチンコ機１０を島設備に取付ける前に、前記凸部４３の中心あるいは前記固定ネジ４２の中心が前記目盛４５の所定位置にくるようにして前記固定ネジ４２を強く締め付け幕板取付板２２に幕板２３を固定する。このときの所定位置とは、前記遊技盤１４を傾斜させるために予め測定した角度に対応する目盛位置のことである。
【００１８】
その後に支持枠１２を島枠３０の内部に挿入し、支持枠１２に対して遊技機本体１１を開いて支持枠１２の内部を露呈する。そして、支持枠１２を構成する下板４８の底面４８ａの奥側の稜線４９と幕板２３に設けられた前記レール状凸部５０が島枠３０の下板３２に接触するようにしながら、支持枠１２の内側から釘やボルトで島枠３０の上板３１に支持枠１２の上板２４を固定する。上側を固定した後、前記レール状凸部５０が前記下板３２に接触していることを確認して、島枠３０の下板３２に支持枠１２の下板４８を固定する。これによって遊技盤１４の傾斜角度を測定しなくても所定の傾きを保持した設定ができる。
【００１９】
また、遊技盤１４の傾斜角度の変更など一度設定した後に支持枠１２の傾きを変える場合は、遊技機本体１１を支持枠１２に対して開いて、前記下板４８を固定している釘やボルトを外して前記固定ネジ４２を緩め、前記固定ネジ４２を目的の目盛に合わせ直す。この時、パチンコ機１０の荷重の多くは前記下板４８の奥側の稜線４９にかかっているため、前記レール状凸部５０が前記島枠の下板３２に密着していることを確認してから、前記固定ネジ４２を再度強く締める。その後、支持枠１２の下板４８を島枠の下板３２に釘やボルトで固定する。
【００２０】
遊技盤１４の傾斜角度を高精度で固定したい場合には、支持枠１２の下板４８を固定している釘やボルトを外し、前記固定ネジ４２を緩めた後、遊技機本体１１を支持枠１２に対して閉じてから前面のガラスに水準器やゲージを当てて遊技盤１４の傾斜角度を正確に測定し、支持枠１２の位置決めを正確に割り出してから再び遊技機本体１１を支持枠１２に対して開いて、支持枠１２の下板４８を島枠３０の下板３２に固定する。その後幕板２３を動かして幕板２３の下面２３ａを島枠３０に当接させ、前記固定ネジ４２を強く締める。ここで、遊技盤１４の前面に水準器やゲージを当てて角度測定をする場合には、ガラス板１３を開放した状態で行う。
【００２１】
調節作業が終了した後は、遊技機本体１１を支持枠１２に対して閉じる。パチンコ機１０の荷重は支持枠１２の稜線４９と幕板２３のレール状凸部５０によって支えられるため、調節後の遊技盤１４の傾斜角度を長期に亘って維持することができる。
【００２２】
上記実施形態では、幕板２３を幕板取付板２２に固定する固定ネジ４２の中心をネジ挿通穴４１の横に形成された目盛４５に合わせることで、支持枠１２対する幕板２３の位置を決めたが、幕板取付板２２に位置調節装置を備えることで支持枠１２対する幕板２３の位置決めを行うようにしても良い。図７に示す位置調節装置５５は、貫通穴５７が中央に設けられた調節レバー５８と該調節レバー５８を幕板取付板２２に固定するネジ５９によって構成される。
【００２３】
前記貫通穴５７には固定ネジ５６が取付けられ、固定ネジ５６は幕板２３の凸部４３に設けられたネジ穴４４と螺合する。前記調節レバー５８は前記ネジ５９によって幕板取付板２２に回転自在に止められているが、前記ネジ５９の位置する一端とは反対側の他端に刻まれた指標６０を幕板取付板２２に形成された目盛４５に合わせることによって支持枠１２対する幕板２３の位置を調節できるようにしている。
【００２４】
上記実施形態では、幕板取付板２２に幕板２３の位置合わせを行う目盛４５を設けているが、図８に示すように、幕板２３の側面に目盛６２を設け、支持枠１２の下板４８あるいは右板２１に指標６３を設けても良い。目盛６２と指標６３は対向する位置に配置され、目盛線の１本１本は、遊技盤１４の傾斜角度に対応している。ここで目盛６２を下板４８に設け、指標６３を幕板２３の側面に設けても良い。支持枠１２に対して幕板２３の位置を変えることで、前記実施形態と同様に、前記遊技盤１４の傾斜角度を所定の角度に調節することができる。
【００２５】
また、上記実施形態では、幕板の下面にレール状凸部を設けたが、レール状凸部は必ずしも必要なものではない。この場合、幕板の下面を斜めにして前側を長くとっても良い。
【図面の簡単な説明】
【００２６】
【図１】本発明の実施形態であるパチンコ機を示す斜視図である。
【図２】遊技機本体を支持枠に対して開いた状態のパチンコ機を示す斜視図である。
【図３】支持枠を背面側から見た斜視図である。
【図４】幕板を取付けた状態の支持枠の下部を示す断面図である。
【図５】幕板取付板のネジ挿通穴に幕板の凸部が嵌合した状態を支持枠の裏側から見た図である。
【図６】幕板下辺を島枠に当接させて取付けた状態の支持枠の下部を示す断面図である。
【図７】位置調節装置を備えた幕板取付板を支持枠の裏側から見た図である。
【図８】遊技盤の傾斜角度を設定する目盛と指標を幕板と支持枠に設けたときの支持枠の下部を示す図である。
【符号の説明】
【００２７】
１０  パチンコ機（遊技機）
１１  遊技機本体
１２  支持枠
１４  遊技盤
２２  幕板取付板
２３  幕板
３０  島枠
４１  ネジ挿通穴
４２，５６  固定ネジ
４３  凸部
４４  ネジ穴
４５，６０，６２  目盛
５０  レール状凸部
５５  位置調節装置
【図１】
2008178607.tif 000003
【図２】
2008178607.tif 000004
【図３】
2008178607.tif 000005
【図４】
2008178607.tif 000006
【図５】
2008178607.tif 000007
【図６】
2008178607.tif 000008
【図７】
2008178607.tif 000009
【図８】
2008178607.tif 000010